(57)【特許請求の範囲】
【請求項１】
本体に上面を覆うトッププレートと、
前記本体内に配置し前記トッププレートに載置する鍋を加熱する加熱コイルと、
該加熱コイルを固定するコイルベースと、
該コイルベースの外周には一辺を該コイルベースの外周と共用にして外周側に突出した略三角形の複数の支え片と、
前記加熱コイルを前記トッププレート側に保持するために各支え片を下方から持ち上げる圧縮コイルバネの複数のスプリングと、
各支え片を囲うように前記コイルベースに対して外側から略中心方向に開口した略つの字の形状をして前記支え片の横揺れの動きを規制するとともに前記コイルベースの上下方向の動きを案内する垂直壁からなる複数の案内壁とを備えており、
各案内壁の上端の高さは、無圧縮状態の各スプリング上に前記コイルベースを載置した時の各支え片の上面の位置より高い位置となることを特徴とする誘導加熱調理器。
【請求項２】
本体に上面を覆うトッププレートと、
前記本体内に配置し前記トッププレートに載置する鍋を加熱する加熱コイルと、
該加熱コイルを固定するコイルベースと、
該コイルベースの外周には一辺を該コイルベースの外周と共用にして外周側に突出した略三角形の複数の支え片と、
前記加熱コイルを前記トッププレート側に保持するために各支え片を下方から持ち上げる圧縮コイルバネの複数のスプリングと、
各支え片を囲うように前記コイルベース側に開口した鋭角の頂点を曲面とした前記支え片の横揺れの動きを規制するとともに前記コイルベースの上下方向の動きを案内する垂直壁からなる複数の案内壁とを備えており、
各案内壁の上端の高さは、無圧縮状態の各スプリング上に前記コイルベースを載置した時の各支え片の上面の位置より高い位置となることを特徴とする誘導加熱調理器。
【発明の詳細な説明】
【技術分野】
【０００１】
本発明は、キッチンに組み込む誘導加熱調理器に関するものである。
【背景技術】
【０００２】
従来、この種の誘導加熱調理器は、本体上面に被せたトッププレートに載置する被加熱物の鍋底とトッププレート下面の加熱コイルは所定の距離を保つように本体に設けたスプリングで、加熱コイルを固定するコイルベースを支え、トッププレート下面に加熱コイルが押し付けられるものが知られている。
【０００３】
例えば特許文献１に示されている図１に示されているように、誘導加熱コイルは支持台に載置されて加熱コイルユニットを構成している。加熱コイルユニットはスプリングによってトッププレートに押し付けられる。スプリングは筐体に設けられた支持軸に支持されている。支持台にはリング状の開口部を有するガイド部が設けられている。そして、組立時は、ガイド部にリング状の開口部を設けたことによりボスとの嵌合を見易くしている。
【先行技術文献】
【特許文献】
【０００４】
【特許文献１】特開２００９−５９４８９号公報
【発明の概要】
【発明が解決しようとする課題】
【０００５】
上記特許文献１に示すものは、支持台に開口部を有したガイド部を設けて、前記開口部にボスを通すために、ボスは、ガイド部を有した支持台の外形より内側に位置するため、ボスの位置を確認するため前記開口部から覗くようにボスを探したり、作業時の目線をガイド部を有した支持台とボスの間に移動して、ガイド部に設けた前記開口部とボスの両方の位置関係を確認しながら嵌合の作業を行う必要があり、その点で作業に難がある。
【課題を解決するための手段】
【０００６】
本発明は上記の問題を解決するためになされたものであり、本体に上面を覆うトッププレートと、前記本体内に配置し前記トッププレートに載置する鍋を加熱する加熱コイルと、該加熱コイルを固定するコイルベースと、該コイルベースの外周には一辺を該コイルベースの外周と共用にして外周側に突出した略三角形の複数の支え片と、前記加熱コイルを前記トッププレート側に保持するために各支え片を下方から持ち上げる圧縮コイルバネの複数のスプリングと、各支え片を囲うように前記コイルベースに対して外側から略中心方向に開口した略つの字の形状をして前記支え片の横揺れの動きを規制するとともに前記コイルベースの上下方向の動きを案内する垂直壁からなる複数の案内壁とを備えており、各案内壁の上端の高さは、無圧縮状態の各スプリング上に前記コイルベースを載置した時の各支え片の上面の位置より高い位置となるものである。
【発明の効果】
【０００７】
本発明によれば、コイルベースの配置作業が更に向上できる。また、コイルベースの横揺れの動きを規制できるとともに、コイルベースのスプリングからの脱落を防ぐことができ、さらに、コイルベースの上面に固定された加熱コイルを均等な力でトッププレートに押し当てることができる。
【図面の簡単な説明】
【０００８】
【図１】一実施例の誘導加熱調理器をキッチンに組込んだ外観斜視図。
【図２】同じく、誘導加熱調理器の後部から見た斜視図。
【図３】同じく、誘導加熱調理器のトッププレート組を外した本体内部の構造図。
【図４】一実施例の誘導加熱調理器のコイルベースを裏返した状態の構造図。
【図５】一実施例の誘導加熱調理器の加熱コイルを外した本体内部の構造図。
【図６】同じく、誘導加熱調理器のダクトの斜視図。
【図７】図５Ａ部の拡大図。
【図８】図３のＢ部のＣ断面図。
【発明を実施するための形態】
【０００９】
以下、本発明の一実施例を上記した図１から図８に従って説明する。
【００１０】
本実施例は、システムキッチンに嵌め込むビルトイン型について説明する。
【００１１】
図１から図３において、１はキッチンで、カウンタートップ１ａの下部に箱型の収納部１ｂを設け、扉１ｃとその上部の側板１ｅで前面を覆っている。
【００１２】
カウンタートップ１ａに設けた取り付け穴１ｄの上面から本体７を落とし込み、本体のフランジ部７ａで支える。
【００１３】
本体７の左側側面である左側面７ｊの本体奥行きの略中央に固定穴６０Ｌを備え、本体７の右側側面である右側面７ｋにも、本体奥行きの略中央に固定穴６０Ｌと同一の固定穴６０Ｒ（図示せず）を備える。固定穴６０Ｌ，６０Ｒは、横固定金具６１（図示せず）を装着して本体７をカウンタートップ１ａに固定する穴である。
【００１４】
また、本体７の奥側側面である後面７ｐの本体幅の略中央に設けた固定穴７０に回動して収納する固定金具７１を備える。この固定穴７０の内側に、固定孔７０側の側面が開口し、排気口２４の内部の一部に出っ張った箱状の支持部材７３を設け上下に貫通させ右ネジ７２によって固定金具７１を支持している。そして、右ネジ７２を回転することで固定金具７１に設けられた雌ネジによって固定金具７１が上昇して本体７をカウンタートップ１ａに固定する。
【００１５】
誘導加熱調理器の本体７の上面にはトッププレート２が水平に配置されている。
【００１６】
トッププレート２は、耐熱性の高い結晶化ガラス製の厚さ約４mmのもので構成され、鉄等の磁性体又はアルミ等の非磁性体よりなる鍋等の調理容器を載置する。
【００１７】
トッププレート２は、鍋を載置する位置を円で示す前側鍋載置部５，奥側鍋載置部６を設ける。
【００１８】
前側鍋載置部５，奥側鍋載置部６に対応するようにトッププレート２の下方で本体７内の上部に、環状に形成された加熱コイル５５（前側加熱コイル８と奥側加熱コイル９）が夫々にコイルベース８１に固定され本体７の左前と右後で対角に配置されており、トッププレート２に載置された鍋等を誘導加熱する。加熱手段１２は前側加熱コイル８と奥側加熱コイル９で構成される。
【００１９】
トッププレート２の周囲は枠２ａで覆われ、枠２ａの前部には操作表示部４を、後部には排気出口２ｂを備え、排気出口２ｂを覆い着脱自在の排気カバー３を備えている。これら２，２ａ，３，４によりトッププレート組１９を構成する。
【００２０】
排気カバー３は、排気出口２ｂに異物が入るのを防止すると同時に通気を確保するために、板金にパンチングメタルや桟によって数ミリの丸穴やスリット穴を構成している。また、清掃性に配慮して排気カバー３は枠２ａに載置するだけであり、前記の丸穴やスリット穴や、排気カバー３の周囲と枠２ａの隙間から、排気出口２ｂに水が浸入するものである。
【００２１】
操作表示部４は、前側加熱コイル８，奥側加熱コイル９に対応した前側操作部２０，奥側操作部２１と、前側表示部２２，奥側表示部２３とが設けられている。前側加熱コイル８，奥側加熱コイル９の通電状態の設定や操作を行い、通電状態等を表示する。
【００２２】
制御部１０は、一体となった電源部３０と共に、ＰＰ材の樹脂製の下ケース１０ｂに固定されて奥側加熱コイル９の下部に配置され、前側操作部２０や奥側操作部２１からの入力に基づきインバータ部５０を制御し、前側加熱コイル８や奥側加熱コイル９へ供給する電力を制御する。また、加熱時は前側加熱コイル８や奥側過熱コイル９に備える温度センサ２５からの情報に基づきインバータ部５０を制御して前記同様に前側加熱コイル８や奥側加熱コイル９へ供給する電力を制御する。
【００２３】
インバータ部５０は、前側加熱コイル８の下方に配置され、前側加熱コイル８と奥側加熱コイル９に高周波電力を供給する。
【００２４】
インバータ部５０は後部にスイッチング素子を取付けたヒートシンク１１ｂと、その他の発熱部品を搭載して高周波電力を発生している。本体７の高さを低くして設置性に配慮しているので、前側加熱コイル８の下方には、前側ファン１７を配置している。そのため、ヒートシンク１１ｂは本体７の後部に配置している。そして、ダクト１１ａでヒートシンク１１ｂや発熱部品を囲み、ダクト１１ａの一端は後述のメインファン１６に連通し、他端を本体７の後部の排気口２４に向けて配置し、主流冷却風を誘導する流路を構成して効率よく冷却する。
【００２５】
本体７の前側中央部には、インバータ部５０を冷却するために、本体７の底面に有した吸気口（図示せず）より外気を吸気し、本体７の後向きに送風するメインファン１６が設けられている。メインファン１６はシロッコファンである。
【００２６】
メインファン１６からダクト１１ａで誘導された冷却風は、インバータ部５０に搭載されたヒートシンク１１ｂや発熱部品を冷却して、本体７の前側から後側へと大風量が勢いよく流れ効率よく冷却する。
【００２７】
また、前側加熱コイル８の下部には本体７の底面に有した吸気口（図示せず）より外気を吸気し、前側加熱コイル８を専用に冷却する前側ファン１７を設ける。
【００２８】
前側ファン１７の風は、前側加熱コイル８の下からコイルの下面に当てるのと同時に、内側コイル８ａと外側コイル８ｂの間隙からコイルの上面を流れる。
【００２９】
さらに、奥側加熱コイル９の下部には本体７の底面７ｇに有した吸気口（図示せず）より外気を吸気して、奥側加熱コイル９を専用に冷却する奥側ファン１８を設ける。
【００３０】
同様に奥側ファン１８の風は、奥側加熱コイル９の下からコイルの下面に当てるのと同時に、内側コイル９ａと外側コイル９ｂの間隙から奥側加熱コイル９の上面を流れる。
【００３１】
前側ファン１７，奥側ファン１８は、プロペラファンである。そしてこれらの本体７の底面に設けた吸気口はカウンタートップ１ａ下の収納部１ｂに面して配置され、収納部１ｂの空気を吸気する。
【００３２】
冷却風は本体７の後部、つまりインバータ部５０の後側の底面と本体の後面７ｐと略コの字状の排気板４１とで囲まれた排気口２４から排気口２４に連通する枠２ａの排気出口２ｂを通り、排気カバー３を抜けて排気する。
【００３３】
その排気板４１は排気口２４からインバータ部５０や、電源部３０に指が入らないように塞いでいる。
【００３４】
次に、加熱コイル８を載置するコイルベース８１について裏返した状態の構造図である図４によって構造を説明する。
【００３５】
コイルベース８１は、熱に強い樹脂で例えばＰＡ材で成形され、内周８４と外周８１ａを放射状のリブ８５で結ぶ。
【００３６】
また、コイルベース８１の外周８１ａには、略三角形の形状をした支え片８２を設けたもので、支え片８２の一辺をコイルベース８１の外周８１ａと共用にする形状になるように設けたものである。
【００３７】
支え片８２には、支え片８２の先端近傍と、外周８１ａに近く、支え片８２の付け根側との２箇所に、下向きに開口した筒状の突起８３を一体に成形している。
【００３８】
突起８３は、コイルベース８１の外周８１ａに近く支え片８２の付け根側に備える突起を８３ａと支え片８２の先端近傍側に備える突起を８３ｂからなる。
【００３９】
この突起８３は、コイルベース８１に載置した加熱コイルを複数機種の部品を共用化して取付け位置に対応するように設けている。
【００４０】
コイルベース８１の外周８１ａの上面側には、トッププレート２の下面に押し当てるスペーサ８１ｂが設けられている。スペーサ８１ｂにより前側加熱コイル８とトッププレート２の間隙が一定となる。
【００４１】
奥側加熱コイル９は、コイルベース８１を共用している。
【００４２】
図５〜図７において、本体７において、前記したコイルベース８１を支える構造について説明する。
【００４３】
図５に示すように、ダクト１１ａには、前側加熱コイル８を載置するコイルベース８１を支えるための固定部１１ｃ〜１１ｅを設ける。そして、奥側加熱コイル９を載置するコイルベース８１を支えるための固定部１１ｆ，１１ｇを設け、制御部１０を固定する下ケース１０ｂに固定部１０ｚ（以上の各固定部を総じて固定部１１と呼ぶ）を設けている。
【００４４】
各固定部１１の設けた位置は、コイルベース８１の外周８１ａに設けた支え片８２の下面で支え片８２の付け根側に設けた突起８３ａの位置に合わせて設けられている。
【００４５】
ダクト１１ａと前記した固定部１１は、ＰＰ材樹脂で成形したダクト１１ａの各所に一体に成形されている。
【００４６】
但し、本実施例ではダクト１１ａに固定片１１を設けて説明したが、固定片１１を設ける部位はダクト１１ａに限定するものではない。
【００４７】
固定部１１の構造を図７に示す固定部１１ｃを例として説明する。図７は、図５に示したＡ部の拡大図である。
【００４８】
固定部１１ｃには、後述するスプリング固定部１１３と案内壁１１２を有している。
【００４９】
スプリング固定部１１３は、内円形リブ１１０と外円形リブ１１１により構成される。内円形リブ１１０と外円形リブ１１１は同心円で、内円形リブ１１０の外径は、後記するスプリング１２０（図８）の内径よりも大きく、スプリング１２０を圧入して嵌合して固定するものである。内円形リブ１１０より外円形リブ１１１の高さを高くしている。
【００５０】
そして、各固定部１１に設けた各々の内円形リブ１１０と外円形リブ１１１と間隙底部１０９の高さ関係は全て同一高さとなるように設け、圧縮コイルバネ（押される力に対して戻ろうとするバネ）からなるスプリング１２０の圧縮が均一になるようにしてスプリング１２０を統一している。
【００５１】
また、固定部１１ｃには夫々に設けられた後記する案内壁１１２の上端は同一高さの位置である。
【００５２】
案内壁１１２は、コイルベース８１の略中心側に開口部を向けた略つの字の形状をした垂直壁であり、具体的には、図７に示すように鋭角の頂点を曲面とした垂直壁である。この案内壁１１２の内側面１１２ａは、平面部１１２ｂと曲面部１１２ｃで構成される。そして案内壁１１２の上端１１２ｇの高さは、スプリング固定部１１３にスプリング１２０を固定して、その上に加熱コイル５５を固定したコイルベース８１をスプリング１２０に載置した時（但しスプリング１２０は無圧縮状態）の載置した支え片８２の上面８２ｃの位置より高い位置となるようにしている。
【００５３】
案内壁１１２は、外円形リブ１１１に一部が繋がってもよい。
【００５４】
また、図７においては、固定部１１ｃの案内壁１１２が、固定部１１ｆの案内壁１１２にリブ１１２ｄで繋がっていることを示している。
【００５５】
図８は、図３のＢ部のＣ断面を示したものである。前記の固定部１１ｃに、前側加熱コイル８を載置するコイルベース８１が支えられる部分を示している。説明のため、本体７上にトッププレート２を組み立てた図として示す。
【００５６】
固定部１１に設けた案内壁１１２は、コイルベース８１に設けた支え片８２を外側から囲うように設け、少なくとも二ヶ所の支え片８２を案内壁１１２の内側面１１２ａにあてがって配置することで、三ヶ所目の支え片８２の位置も自然に確定し、支え片８２に設けた突起８３とダクト１１ａに設けたスプリング固定部１１３との位置関係も自然に確定する寸法となるように設けている。
【００５７】
ダクト１１ａに一体に成形したスプリング固定部１１３にスプリング１２０を圧入して嵌合して外円形リブ１１１の中で保持される。スプリング１２０は圧縮コイルバネでありコイルベース８１をトッププレート２のある上方へ押し上げている。
【００５８】
スプリング１２０の上部には、コイルベース８１の支え片８２に設けた突起８３ａが、スプリング１２０の内周側に挿入され、支え部８２の下面８２ｂに当接して保持される。また、支え片８２の先端部に位置する突起８３ｂは、スプリング固定部１１３に保持したスプリング１２０の上部には挿入できない位置関係になっている。
【００５９】
コイルベース８１の略三角形をした支え片８２を、コイルベース８１に対して外側から略中心方向に開口した略つの字の形状をした案内壁１１２によって囲うことで、コイルベース８１の横揺れの動きは規制され、コイルベース８１の上下方向の動きは、案内壁１１２の高さによって保持され、スプリング１２０の圧縮によりコイルベース８１が上下に動くだけで、コイルベース８１はスプリング１２０より脱落することは無く、コイルベース８１の上面に固定された加熱コイル５５をトッププレート２に押し当てる方向に均等な力が働く。
【００６０】
以上の構成により、前側加熱コイル８を例に組立性について説明する。
【００６１】
誘導加熱調理器の組立は、本体１の底面側から順次部品を載せて積み上げるように組立てられる。インバータ部５０にダクト１１ａを被せた後、ダクト１１ａに設けられた三ヶ所の固定部１１（１１ｃ，１１ｄ，１１ｅ）に備わるスプリング固定部１１３に夫々にスプリング１２０を保持させる。
【００６２】
次に、前側加熱コイル８を前記配置した三ヶ所のスプリング１２０に保持すべく、前記加熱コイル８を固定したコイルベース１１８の支え片８２を案内壁１１２の内側面１１２ａに夫々あてがって載置することで、スプリング１２０の上端に突起８３ａが挿入されて完了する。
【００６３】
以上のように、部品を積み上げて組み立てる時に、下方に位置する部品に設けた位置合わせをする部位が、上方に載置する部品より外側に位置することで、位置あわせする全ての部品の位置関係を上方から確認しながら作業ができるので組立性は飛躍的に向上することができる。
【００６４】
以上本実施例によれば、コイルベースの配置作業が更に向上できる。
【符号の説明】
【００６５】
１ａ  カウンタートップ
２  トッププレート
２ａ  枠
２ｂ  排気出口
３  排気カバー
４  操作表示部
７  本体
８  前側加熱コイル
９  奥側加熱コイル
１０  制御部
１１  固定部
１１ａ  ダクト（筐体部品）
１６  メインファン
１７  前側ファン
１８  奥側ファン
５０  インバータ部
５５  加熱コイル
８１  コイルベース
８１ａ  外周
８２  支え片
８２ａ  側面
８３  突起
１１２  案内壁
１１２ａ  内側面
１１３  スプリング固定部
１２０  スプリング
【図１】
0005663399.tif 000002
【図２】
0005663399.tif 000003
【図３】
0005663399.tif 000004
【図４】
0005663399.tif 000005
【図５】
0005663399.tif 000006
【図６】
0005663399.tif 000007
【図７】
0005663399.tif 000008
【図８】
0005663399.tif 000009